(57)【要約】【課題】衝撃音の吸収性に優れるとともに、重量物を載せたときに、程よいクッション性を有する二重床の支持脚構造を提供する。【解決手段】床スラブ６の上方に配設される床下地板５を載置、固定する床受け部２と、側面視略Ｈ字状の防振部１と、床スラブ６上に台座３４を介して立設され、その上端に備えた平面視方形の板形端部３３で上記防振部１を支持する脚部３と、からなる二重床の支持脚において、上記防振部１は、上記床受け部２を載置する上嵌合部１ａと、上記平面視方形の板形端部３３を嵌合する下嵌合部１ｂとが仕切り部１１で仕切られているとともに、該仕切り部の上面と下面には、各々複数条の突起部１１１、１１２が形成され、更に、該上下の突起部１１１、１１２が互いに水平方向にずらされて設けられていることを特徴とする。【選択図】　　図１
2004044325.tif 000002
【特許請求の範囲】
【請求項１】
床スラブの上方に配設される床下地板を載置固定する床受け部と、側面視略Ｈ字状の防振部と、床スラブ上に台座を介して立設され、その上端に備えた平面視方形の板形端部で上記防振部を支持する脚部と、からなる二重床の支持脚において、上記防振部は、上記床受け部を載置する上嵌合部と、上記平面視方形の板形端部を嵌合する下嵌合部とが仕切り部で仕切られているとともに、該仕切り部の上面と下面には、各々複数条の突起部が形成され、更に、該上下の突起部が互いに水平方向にずらされて設けられていることを特徴とする二重床の支持脚構造。
【請求項２】
上記仕切り部の上面と下面に設けられた各々複数条の突起部が側面視矩形であるとともに、該上面に設けられた上向き突起部間に相当する位置の下面に下向き突起部が設けられた、請求項１に記載の二重床の支持脚構造。
【請求項３】
上記上向き突起部間の間隔が、下向き突起部の幅よりも大きくされた、請求項２に記載の二重床の支持脚構造。
【請求項４】
上記防振部の左右側板の上端縁には、それぞれ相対向する方向に上挟持片が突設されるとともに、下端縁には、それぞれ相対向する方向に下挟持片が突設された、請求項１に記載の二重床の支持脚構造。
【請求項５】
上記脚部が上部脚部と下部脚部とから構成されるとともに、上部脚部と、下部脚部との間には、脚部の上下長さを伸縮自在とする伸縮機構が設けられている、請求項１に記載の二重床の支持脚構造。
【発明の詳細な説明】
【０００１】
【発明の属する技術分野】
本発明は、二重床の支持脚構造に関する。詳しくは、床下地板と床スラブからなる二重床の間に、上記床下地板を支えるように設けられる支持脚の構造に関する。
【０００２】
【従来の技術】
従来、集合住宅等のコンクリート建物等において、床面に物を落とした場合等、階下への騒音防止を図るため、あるいは、床面と床スラブとの間にパソコン等の配線用の床下空間を設けるために、二重床構造とすることが行われている。この場合、一般的には、床スラブの上方に離間して位置する床下地板を、支持脚で支えて床下空間を確保している。
【０００３】
【発明が解決しようとする課題】
この支持脚の構造としては、特開平９−２０３１９２号、特開平６−３２２９５４号公報等が公知である。従来技術の一例としては、本願の図５に示すように、床スラブの上方に配設される床下地板を載置、固定する床受け部２と、該床受け部を載置する側面視略Ｈ字状の防振部４と、床スラブ上に台座３４を介して立設し、その上端に備えた平面視方形の板形端部３３を介して上記防振部４を支持する脚部３と、からなる二重床の支持脚構造が知られている。図５において、側面視凸字形の床受け部２は、通常、木質材からなり、床下地材を載置し、釘等の固定手段で固定する。防振部４は、弾性変形可能なゴム材等、弾性材料から構成されており、上記床受け部２を挿入、載置する上嵌合部４２と、上記平面視方形の板形端部３３を嵌合固定する下嵌合部４３とは、仕切り部４１によって仕切られている。脚部３は、上下方向に長さ調節可能とされた上部脚部３１と、下部脚部３２とから構成され、上部脚部３１の上端は、平面視方形の板形端部３３を備え、下部脚部３２は、台座３４に接続されている。
【０００４】
ここで、防振部４は、上記したように、弾性材料から構成されているが、軟らかい材料で構成したものは、床面に物を落とした際に発生する衝撃音をよく吸収するという利点があるが、床上に重量物を載せると床面の沈み込みが大きくなるという欠点がある。一方、硬い材料で構成したものは、床上に重量物を載せても、床面の沈み込みが過大になるという問題はないが、クッション性に劣るため、床面に物を落とした際に発生する衝撃音を十分に吸収できないという欠点がある。そこで、衝撃音の吸収性に優れるとともに、重量物を載せたとき、床面の沈み込みが過大となることのない、程よいクッション性を有する二重床の支持脚構造が求められている。
【０００５】
【課題を解決するための手段】
本発明は、上記課題を解決するために考え出されたものであって、つぎのような技術的手段を講じている。すなわち、本発明によれば、床スラブの上方に配設される床下地板を載置、固定する床受け部と、側面視略Ｈ字状の防振部と、床スラブ上に台座を介して立設され、その上端に備えた平面視方形の板形端部で上記防振部を支持する脚部と、からなる二重床の支持脚において、上記防振部は、上記床受け部を載置する上嵌合部と、上記平面視方形の板形端部を嵌合する下嵌合部とが仕切り部で仕切られているとともに、該仕切り部の上面と下面には、各々複数条の突起部が形成され、更に、該上下の突起部が互いに水平方向にずらされて設けられていることを特徴とする二重床の支持脚構造が提供される。このように構成することによって、衝撃音の吸収性に優れるとともに、重量物を載せたとき、床面の沈み込みが過大とならないため、程よいクッション性を得ることができる。
【０００６】
上記仕切り部の上面と下面に設けられた各々複数条の突起部は、側面視矩形であるとともに、該上面に設けられた上向き突起部間に相当する位置の下面に下向き突起部が設けられることが好ましい。このようにすることによって、仕切り部が下方に撓みやすくなり、衝撃音も吸収され易くなり、優れた防音作用を示す。
【０００７】
上記上向き突起部間の間隔が、下向き突起部の幅よりも大きくされる方が好ましい。このようにすることによって、仕切り部が下方に更に撓みやすくなり、衝撃音も吸収され易く、クッション性にも優れたものとなる。
【０００８】
上記防振部の左右側板の上端縁には、それぞれ相対向する方向に上挟持片が突設されるとともに、下端縁には、それぞれ相対向する方向に下挟持片が突設される。このようにすることによって、上記防振部の上嵌合部に挿入、載置された床受け部はしっかりと上挟持片によって挟持され、下嵌合部に嵌合された平面視方形の板形端部もしっかりと下挟持片によって挟持される。
【０００９】
上記脚部は、上部脚部と下部脚部とから構成されるとともに、上部脚部と、下部脚部との間には、脚部の上下長さを伸縮自在とする伸縮機構が設けられることが好ましい。このようにすることによって、本発明の二重床の支持脚構造の上下長さを、所望の長さとするように調節することができる。
【００１０】
【発明の実施の形態】
以下、本発明の好ましい実施の形態について、図面を参照してより詳細に説明する。なお、従来技術を説明する図５と共通する部分については、図５に示す符合を援用し、図５も参照しながら説明する。図１に、防振部１と、側面視凸字形の床受け部２、および脚部３と、から構成される本発明の二重床の支持脚構造Ｙの分解斜視図を示す。図１において、防振部１は、弾性変形可能なゴム材等、弾性材料から構成されており、床受け部２を挿入、載置する上嵌合部１ａは、防振部１の左右側板１２、１２と、左右側板１２、１２の上端縁でそれぞれ相対向する方向に突設された上挟持片１３、１３と、仕切り部１１とによって囲まれた部分で構成される。同様に下嵌合部１ｂは、防振部１の左右側板１２、１２と、左右側板１２、１２の下端縁でそれぞれ相対向する方向に突設された下挟持片１４、１４と、仕切り部１１とによって囲まれた部分で構成される。上嵌合部１ａと、下嵌合部１ｂとを仕切る仕切り部１１の上面と下面には、複数条の上向き突起部１１１および下向き突起部１１２が水平方向に互いにずらされて設けられている。
【００１１】
一方、脚部３は、上部脚部３１と、下部脚部３２とから構成され、上部脚部３１はその上端に、平面視方形の板形端部３３を備え、下部脚部３２は、台座３４に接続されているとともに、上部脚部３１と、下部脚部３２との間には、脚部３の上下方向の長さを伸縮自在とする伸縮機構が設けられている。この伸縮機構は、下部脚部３２の筒内面に螺設された雌ネジと、上部脚部３１の軸周面に螺設された雄ネジと、ダブルナット構造等、公知の固定手段（図示せず）とから構成されており、雌ネジに雄ネジを螺合させ、下部脚部３２に対して上部脚部３１を回転させることによって、上記脚部３の上下長さを調節し、所望の位置で、上記固定手段によって固定される。
【００１２】
図２に、床下地板５と、床スラブ６の間に設けられた、上記二重床の支持脚構造の側面図を示す。図２からよくわかるように、仕切り部１１の上面に設けられた上向き突起部１１１間の間隔ｄは、下面に設けられた下向き突起部１１２の幅ｗよりも大きくされている。図３は、図２において、床面に物を載せたときの上向き突起部１１１、下向き突起部１１２の作用、効果を示す説明図である。図２、図３からよくわかるように、上記複数条の上向き突起部１１１に分散されてかかる荷重が、下向き突起部１１２間の仕切り部１１にかかり、仕切り部１１の当該部分が特に弾性変形しやすくなるため、衝撃音も吸収され易くなり、また、クッション性にも優れたものとなる。
【００１３】
なお、図２に示すように、上向き突起部１１１と下向き突起部１１２とは、仕切り部１１の中央部近辺での設置を省略し、衝撃を吸収するための空間としてもよい。このように、本発明においては、上向き突起部１１１と下向き突起部１１２とが、互いに水平方向にずらされて上下非対称に設けられている限り、適宜設計変更可能である。図４は、本発明にかかる二重床の支持脚構造Ｙに、約４５ｃｍ角の床下地板５の四隅を載置、固定した状態を示す平面図である。上記のように構成し、その上に木質系のフローリングあるいは、カーペット等の表面材を敷きこめば、物を落としたときの衝撃音の発生を防ぐとともに、過度に沈むことのないクッション性に優れた床面とすることができる。さらに、二重床の間の空間には、パソコン等の配線を収納することができるため、室内はすっきりと、見栄えのよいものとなる。
【００１４】
【発明の効果】
以上述べたように、請求項１に記載の発明は、床スラブ６の上方に配設される床下地板５を載置固定する床受け部２と、側面視略Ｈ字状の防振部１と、床スラブ６上に台座３４を介して立設され、その上端に備えた平面視方形の板形端部３３で上記防振部１を支持する脚部３と、からなる二重床の支持脚において、上記防振部１は、上記床受け部２を載置する上嵌合部１ａと、上記平面視方形の板形端部３３を嵌合する下嵌合部１ｂとが仕切り部１１で仕切られているとともに、該仕切り部の上面と下面には、各々複数条の突起部１１１、１１２が形成され、更に、該上下の突起部１１１、１１２が互いに水平方向にずらされて設けられていることを特徴とする二重床の支持脚構造である。このように構成することによって、衝撃音の吸収性に優れるとともに、重量物を載せたとき床面の沈み込みが過大となることのない、程よいクッション性を有する二重床の支持脚構造が提供される。
【００１５】
請求項２に記載の発明によれば、該仕切り部１１の上面と下面に設けられた各々複数条の突起部１１１、１１２が側面視矩形であるとともに、該上面に設けられた上向き突起部１１１間に相当する位置の下面に下向き突起部１１２が設けられる。このようにすることによって、請求項１に記載の発明の効果に加えて、仕切り部１１が下方に撓みやすくなり、衝撃音も吸収され易くなり、優れた防音作用を示す。
【００１６】
請求項３に記載の発明によれば、上記上向き突起部１１１間の間隔が、下向き突起部１１２の幅よりも大きくされる方が好ましい。このようにすることによって、仕切り部１１が下方に更に撓みやすくなり、衝撃音も吸収され易く、また、クッション性にも優れたものとなる。
【００１７】
請求項４に記載の発明によれば、上記防振部１の左右側板１２の上端縁には、それぞれ相対向する方向に上挟持片１３が突設されるとともに、下端縁には、それぞれ相対向する方向に下挟持片１４が突設される。このようにすることによって、請求項１に記載の発明の効果に加えて、上記防振部の上嵌合部に挿入、載置された床受け部はしっかりと上挟持片によって挟持され、下嵌合部に嵌合された平面視方形の板形端部もしっかりと下挟持片によって挟持される。
【００１８】
請求項５に記載の発明によれば、上記脚部３が上部脚部３１と下部脚部３２とから構成されるとともに、上部脚部３１と、下部脚部３２との間には、脚部３の上下長さを伸縮自在とする伸縮機構が設けられる。このようにすることによって、請求項１に記載の発明の効果に加えて、本発明の二重床の支持脚構造の上下長さを、所望の長さとするように調節することができる。
【図面の簡単な説明】
【図１】本発明にかかる二重床の支持脚構造の分解斜視図である。
【図２】本発明にかかる二重床の支持脚構造の側面図である。
【図３】上向き突起部、下向き突起部の作用、効果を示す説明図である。
【図４】本発明の二重床の支持脚構造に、床下地板の四隅を載置した状態を示す平面図である。
【図５】従来の二重床の支持脚を示す分解斜視図である。
【符号の説明】
１　　　　　防振部
１１　　　　仕切り部
１１１　　　上向き突起部
１１２　　　下向き突起部
１２　　　　左右側板
１３　　　　上挟持片
１４　　　　下挟持片
１ａ　　　　上嵌合部
１ｂ　　　　下嵌合部
２　　　　　床受け部
３　　　　　脚部
３１　　　　上部脚部
３２　　　　下部脚部
３３　　　　平面視方形の板形端部
３４　　　　台座
４　　　　　公知の二重床の支持脚における防振部
４１　　　　上記防振部における仕切り部
４２　　　　上記防振部における上嵌合部
４３　　　　上記防振部における下嵌合部
５　　　　　床下地板
６　　　　　床スラブ
Ｙ　　　　　本発明にかかる二重床の支持脚構造
ｄ　　　　　上向き突起部の設置間隔
ｗ　　　　　下向き突起部の幅
【図１】
2004044325.tif 000003
【図２】
2004044325.tif 000004
【図３】
2004044325.tif 000005
【図４】
2004044325.tif 000006
【図５】
2004044325.tif 000007